(57)【特許請求の範囲】
【請求項１】
外筒ノズル１の下面にスリット溝４を開口し、該外筒ノズル１の内部に上方に向けて吐水孔３を開口した内筒ノズル２を嵌入して、外筒ノズル１と内筒ノズル２との間には間隙Ａを構成し、外筒ノズル１と内筒ノズル２との間の間隙Ａを、両端密閉体７・８で密封し、内筒ノズル２の一端は密閉体５で密封し、内筒ノズル２の他端を灌水ポンプＰに連通させたことを特徴とする播種機の灌水装置。
【請求項２】
請求項１記載の播種機の灌水装置において、外筒ノズル１に開口したスリット溝４の幅を調整制限するスリット幅調節体１４・１５を固定移動可能に配置したことを特徴とする播種機の灌水装置。
【発明の詳細な説明】
【０００１】
【発明の属する技術分野】
本発明は、田植機用の苗を育苗する育苗播種機において、育苗箱の内部に土入れ後や、また播種後や、覆土後に灌水する為の灌水装置の吐出ノズルの構成に関する。
【０００２】
【従来の技術】
従来から播種機の灌水装置に関する技術は公知とされているのである。例えば、特開昭５９−１０９１０４号公報や、特開昭５９−１０９１０５号公報や、特開昭５９−１０９１０６号公報に記載の技術の如くである。
そして、上記３件の従来技術においては、播種機の灌水装置の部分の構成を、図９に示す如く、灌水容器１３を設け、該灌水容器１３に流水口３１を設け、該流水口３１を水平に構成して、該水平な流水口３１から１枚の板のような水面を落下させる構成としていたのである。
【０００３】
【発明が解決しようとする課題】
しかし、上記従来技術の構成においては、灌水容器１３から溢れて流れ落ちる水を幕状に落下させて灌水すべく構成しているので、灌水容器１３のスペースが大きくなり、また該灌水容器１３を浅くすると水面の幕が正確に出せないという不具合があったのである。また、灌水容器１３と流水口３１の部分の水平度を向上しないと、幕の均一な流量が得られないという不具合があったのである。また、液面が風や駆動モータの振動により揺れると水幕の厚さが変化して、水量も変化するという不具合があったのである。
本発明はこのような不具合を解消するものである。
【０００４】
【課題を解決するための手段】
本発明の解決しようとする課題は以上の如くであり、次に該課題を解決するための手段を説明する。
請求項１においては、外筒ノズル１の下面にスリット溝４を開口し、該外筒ノズル１の内部に上方に向けて吐水孔３を開口した内筒ノズル２を嵌入して、外筒ノズル１と内筒ノズル２との間には間隙Ａを構成し、外筒ノズル１と内筒ノズル２との間の間隙Ａを、両端密閉体７・８で密封し、内筒ノズル２の一端は密閉体５で密封し、内筒ノズル２の他端を灌水ポンプＰに連通させたものである。
【０００５】
請求項２においては、外筒ノズル１に開口したスリット溝４の幅を調整制限するスリット幅調節体１４・１５を固定移動可能に配置したものである。
【０００６】
【発明の実施の形態】
次に本発明の実施の形態を説明する。
図１は本発明の播種機の灌水装置の全体正面断面図、図２は本発明の播種機の灌水装置の外筒ノズル１と内筒ノズル２の部分の拡大正面断面図、図３は同じく外筒ノズル１と内筒ノズル２の部分の側面断面図、図４は外筒ノズル１と内筒ノズル２と両端密閉体７・８の部分の分解斜視図、図５は外筒ノズル１にスリット幅調節体１４・１５を付設して水幕Ｓの幅を調整している状態の正面図、図６は水幕案内体１０Ｌ・１０Ｒによる水幕Ｓの幅を調整する状態を示す正面図、図７は水幕案内体１０Ｌ・１０Ｒの調整状態を示す正面図、図８は第１灌水装置Ｍと第２灌水装置Ｎの配置を示す図面、図９は従来の水幕を作成する播種機の灌水装置の側面断面図である。
【０００７】
図１において、本発明の播種機の灌水装置の具体的な構成について説明する。育苗箱９を搬送するローラー列を支持する左右の播種機フレーム１２Ｌ・１２Ｒの上に支持台２９・２８が配置されており、該支持台２９・２８の間の上部を連結杆２２で連結している。そして左側の支持台２９には、外筒ノズル１と内筒ノズル２の両方を嵌装支持する筒状支持体２７が設けられており、該筒状支持体２７は支持台２９に穿設した嵌入孔に挿入して、ボルトにより固定されている。そして、該筒状支持体２７には２段の嵌入孔が設けられており、大径の嵌入孔には外筒ノズル１の左側端部が嵌入され、小径の嵌入孔には内筒ノズル２の左側端部が嵌入されている。そして、該筒状支持体２７に嵌入された状態で内筒ノズル２の左側端部に密閉体５が嵌装されて、内筒ノズル２の内部に圧送されている灌水ポンプＰからの水の漏れ出しを阻止している。
【０００８】
また右側の支持台２８の外側には、筒状支持体３４を嵌入固定する為の固定筒３３が溶接固定されている。該固定筒３３の内部に筒状支持体３４を嵌装して、ボルトにより筒状支持体３４を固定筒３３に固定している。そして、該筒状支持体３４の大径の嵌入孔に外筒ノズル１の右端を挿入し、筒状支持体３４の内径孔には、直角継手体３０を嵌装して固定している。該直角継手体３０の内部に内筒ノズル２の右側端部を嵌装して固定している。
【０００９】
該直角継手体３０に、継手管６を螺装し、該継手管６に送水パイプ１６を嵌入している。該送水パイプ１６が灌水ポンプＰに連通されている。そして、外筒ノズル１の両端の外周には、スリット幅調節体１４と１５が左右にスライド可能に嵌装されており、水幕Ｓの幅を調整後に、固定ボルト２０・２１により位置固定可能としている。該スリット幅調節体１４・１５は、外筒ノズル１の下面に開口したスリット溝４の左右端部の位置をやや内側に移動可能とするだけであり、スリット溝４の途中部分まで移動するものではない。
【００１０】
該外筒ノズル１の内部に内筒ノズル２が配置されており、内筒ノズル２には複数の吐水孔３が上面に開口されている。そして、該吐水孔３から外筒ノズル１と内筒ノズル２との間の間隙Ａに吐出された水が、下方のスリット溝４から水幕Ｓとなって、育苗箱９の上に灌水される。スリット溝４の幅は育苗箱９の幅より多少長めに構成し、両端に設けるスリット幅調節体１４・１５により、水幕Ｓの幅を調整するものである。
【００１１】
図２と図３において説明する。該図２の実施例においては、図１の筒状支持体２７・３４の代わりに、両端密閉体７・８を介装して、外筒ノズル１と内筒ノズル２との間の間隙Ａを構成している。そして、該両端密閉体７・８の間の幅にスリット溝４と吐水孔３が穿設されている。該スリット溝４は長い１本の溝状のスリットであり、吐水孔３は内筒ノズル２の上面に開口した複数の孔である。
本実施例では、吐水孔３は１．９〜３・６ｍｍ程度の孔であり、吐水孔３に開口したスリット溝４の幅は、１・０〜２・０ｍｍ程度の幅である。また外筒ノズル１と内筒ノズル２との間の間隙Ａは、１〜３・５ｍｍ程度の幅の環状間隙に構成している。
【００１２】
そして、外筒ノズル１におけるスリット溝４は真下の位置に、内筒ノズル２に於ける吐水孔３は真上の位置に配置して、吐水孔３から出た水が、スリット溝４に至る間に整流されるように構成している。
即ち、従来のノズル形式の灌水装置においては、ノズルからの吐出水流がそのまま育苗箱９の上に落下灌水されていたのである。これに対して、本発明の場合には、一旦内筒ノズル２の吐水孔３から出た水流は、外筒ノズル１と内筒ノズル２との間の間隙Ａにおいて、その水圧を低下させられて、新たに外筒ノズル１のスリット溝４の部分で水幕Ｓに整流されて落下されるのである。故に、灌水ポンプＰの圧力が掛からない為に水幕Ｓの厚さが一定になるのである。外筒ノズル１と内筒ノズル２との間の間隙Ａの大きさは、吐水孔３やスリット溝４の大きさとの関係で決定されるのである。
【００１３】
そして図５において図示する如く、水幕Ｓは左右の端部がやや厚い形状となるので、この厚い部分は水量にバラツキのある部分であるので、使用しないように、水幕Ｓの幅を、育苗箱９の幅よりもやや大となるように、スリット幅調節体１４・１５を調整するのである。２０と２１はスリット幅調節体１４・１５の調整後の固定ボルトである。
次にスリット溝４から出来る水幕Ｓは、自由に水幕Ｓを作らせると、図５の如く、徐々に狭まる方向となるので、この狭まる状態が発生しないように、図６と図７においては、水幕案内体１０Ｌ・１０Ｒをスリット溝４の端部に配置している。図７に示す如く、水幕案内体１０Ｌ・１０Ｒの方向を調整することにより、水幕Ｓの端部の形状を変更することが可能である。
また、図８に示す如く、播種機フレーム１２上に第１灌水装置Ｍと第２灌水装置Ｎを設けて、１箇所で一度に育苗箱９に灌水するのではなく、複数箇所（本実施例では３箇所）にて行う構成とすることも可能である。よって、育苗箱９内の播種土壌を巻き上げることなく、均一に灌水できる。
【００１４】
【発明の効果】
本発明は以上の如く構成したので、次のような効果を奏するのである。
請求項１の如く構成したので、従来の如く、水幕Ｓの厚さが振動や風による水面の揺れで変化しないので、安定した厚さの水幕Ｓを得ることが出来るのである。また吐水孔３において吐水された水を、スリット溝４から自由に落下させるので、灌水ポンプＰの圧力よりも低い圧力で灌水することが出来るので、育苗箱９内の播種土壌を圧力水により巻き上げることが無くなったのである。
また従来の如く灌水容器１３の為のスペースを設ける必要がなくなったのである。また、設置状態が少々傾いても、水幕Ｓの厚さが変化する事が無くなったのである。
【００１５】
請求項２の如く、外筒ノズル１に開口したスリット溝４の幅を調整制限するスリット幅調節体１４・１５を固定移動可能に配置したので、水幕Ｓの厚さの一定した部分のみを使用して、育苗箱９に灌水することが出来るので、灌水量の一定化を図ることが出来たのである。
【図面の簡単な説明】
【図１】本発明の播種機の灌水装置の全体正面断面図。
【図２】本発明の播種機の灌水装置の外筒ノズル１と内筒ノズル２の部分の拡大正面断面図。
【図３】同じく外筒ノズル１と内筒ノズル２の部分の側面断面図。
【図４】外筒ノズル１と内筒ノズル２と両端密閉体７・８の部分の分解斜視図。
【図５】外筒ノズル１にスリット幅調節体１４・１５を付設して水幕Ｓの幅を調整している状態の正面図。
【図６】水幕案内体１０Ｌ・１０Ｒによる水幕Ｓの幅を調整する状態を示す正面図。
【図７】水幕案内体１０Ｌ・１０Ｒの調整状態を示す正面図。
【図８】第１灌水装置Ｍと第２灌水装置Ｎの配置を示す図面。
【図９】従来の水幕Ｓを作成する播種機の灌水装置の側面断面図。
【符号の説明】
１  外筒ノズル
２  内筒ノズル
３  吐水孔
４  スリット溝
５  密閉体
６  継手管
７，８  両端密閉体
９  育苗箱
１０  水幕案内体
１１，１５  スリット幅調節体
【図１】
0003693714.tif 000002
【図２】
0003693714.tif 000003
【図３】
0003693714.tif 000004
【図４】
0003693714.tif 000005
【図５】
0003693714.tif 000006
【図６】
0003693714.tif 000007
【図７】
0003693714.tif 000008
【図８】
0003693714.tif 000009
【図９】
0003693714.tif 000010